(57)【要約】【課題】本発明は、より容易に押印ユニットを取り外す又は追加することができる大束帯封機及びその押印ユニットを提供することを目的とするものである。【解決手段】本発明による大束帯封機は、大束３を結束帯３ａで施封する帯封機本体１と、大束３を施封した結束帯３ａに押印を行う押印ユニット２とを備える。押印ユニット２は、帯封機本体１の底板が重ねられるユニットベース２０と、ユニットベース２０に取り付けられ、帯封機本体１の底板に設けられた開口部を通して帯封機本体１の内部に進入され得る押印機構２１とを含み、帯封機本体１の下部に着脱可能とされている。【選択図】図１
2015178369.tif 000002
【特許請求の範囲】
【請求項１】
複数の小束が束ねられた大束を結束帯で施封する帯封機本体と、
前記大束を施封した前記結束帯に押印を行う押印ユニットと
を備え、
前記押印ユニットは、前記帯封機本体の底板が重ねられるユニットベースと、前記ユニットベースに取り付けられ、前記帯封機本体の前記底板に設けられた開口部を通して前記帯封機本体の内部に進入され得る押印機構とを含み、前記帯封機本体の下部に着脱可能とされている
ことを特徴とする大束帯封機。
【請求項２】
前記押印機構は、
駆動手段と、
ガイドレールを有する固定体と、
前記駆動手段の駆動力により前記ガイドレールに沿って進退される可動体と、
前記可動体に設けられたスプリングプレートと、
前記スプリングプレートに対向するように配置されたスライドブロックと、
前記スプリングプレートと前記スライドブロックとの間に介在されたスプリング体と、
少なくとも１つのリンク体を介して前記スライドブロックに接続されたスタンプ体と
を備え、
前記駆動手段の駆動力により前記可動体が変位された際に、前記スプリング体、前記スライドブロック及び前記リンク体を介して前記可動体の変位が前記スタンプ体に伝えられることで、前記スタンプ体が前記結束帯に押し付けられ、
前記スタンプ体が前記結束帯に押し付けられた際に、前記スプリング体は、前記スライドブロックが相対的に前記スプリングプレートに近づく方向に変位することを許容する
ことを特徴とする請求項１記載の大束帯封機。
【請求項３】
前記可動体は、前記帯封機本体の幅方向に沿って変位され、
前記リンク体は、前記可動体の変位に応じて前記帯封機本体の高さ方向に前記スタンプ体を変位させる
ことを特徴とする請求項２記載の大束帯封機。
【請求項４】
複数の小束が束ねられた大束を施封した結束帯に押印を行う大束帯封機の押印ユニットであって、
前記大束を前記結束帯で施封する帯封機本体の底板が重ねられるユニットベースと、
前記ユニットベースに取り付けられ、前記帯封機本体の前記底板に設けられた開口部を通して前記帯封機本体の内部に進入され得る押印機構と
を備え、
前記帯封機本体の下部に着脱可能とされている
ことを特徴とする大束帯封機の押印ユニット。
【発明の詳細な説明】
【技術分野】
【０００１】
本発明は、大束の結束帯に押印を行う大束帯封機及びその押印ユニットに関する。
【背景技術】
【０００２】
一般に、大量の紙幣（紙葉類）をまとめる場合、通常、１００枚の紙幣を結束帯で施封して１つの札束（小束）とするとともに、複数の小束を束ねた大束をさらに結束帯で施封することが行われている。そして、大束を作成した金融機関名を示す等ために大束を施封した結束帯に押印を行うことが行われている。
【０００３】
従来用いられていたこの種の構成として、例えば特許文献１，２等に記載された構成を挙げることができる。すなわち、従来構成は、大束を結束帯で施封する装置の内部に押印ユニットを組み込むように構成されている。
【先行技術文献】
【特許文献】
【０００４】
【特許文献１】特開２００８−２０１４５７号公報
【特許文献２】特開２０１０−２４７８４５号公報
【発明の概要】
【発明が解決しようとする課題】
【０００５】
大束帯封機の利用者によっては、一時に扱う大束の数が少ない等の理由により、結束帯への押印を人手によって行っても十分な場合がある。このため、押印ユニットをオプション扱いにして、利用者の要望に応じて押印ユニットを省略又は追加することが考えられる。上記のような従来構成では、大束を結束帯で施封する装置の内部に押印ユニットを組み込んでいるので、同装置を組み立てた後に、押印ユニットを取り外す又は追加する作業が煩雑となる。
【０００６】
本発明は、上記のような課題を解決するためになされたものであり、その目的は、より容易に押印ユニットを取り外す又は追加することができる大束帯封機及びその押印ユニットを提供することである。
【課題を解決するための手段】
【０００７】
本発明に係る大束帯封機は、複数の小束が束ねられた大束を結束帯で施封する帯封機本体と、大束を施封した結束帯に押印を行う押印ユニットとを備え、押印ユニットは、帯封機本体の底板が重ねられるユニットベースと、ユニットベースに取り付けられ、帯封機本体の底板に設けられた開口部を通して帯封機本体の内部に進入され得る押印機構とを含み、帯封機本体の下部に着脱可能とされている。
【０００８】
本発明に係る大束帯封機の押印ユニットは、複数の小束が束ねられた大束を施封した結束帯に押印を行う大束帯封機の押印ユニットであって、大束を結束帯で施封する帯封機本体の底板が重ねられるユニットベースと、ユニットベースに取り付けられ、帯封機本体の底板に設けられた開口部を通して帯封機本体の内部に進入され得る押印機構とを備え、帯封機本体の下部に着脱可能とされている。
【発明の効果】
【０００９】
本発明の大束帯封機及びその押印ユニットによれば、押印ユニットは、帯封機本体の底板が重ねられるユニットベースと、帯封機本体の底板に設けられた開口部を通して帯封機本体の内部に進入され得る押印機構とを含み、帯封機本体の下部に着脱可能とされているので、より容易に押印ユニットを取り外す又は追加することができる。
【図面の簡単な説明】
【００１０】
【図１】本発明の実施の形態１による大束帯封機を斜め上方から見たときの分解斜視図である。
【図２】図１の大束帯封機を斜め下方から見たときの分解斜視図である。
【図３】図１の大束帯封機を示す一部断面の側面図である。
【図４】図１の押印機構を示す斜視図である。
【図５】図４の線Ｖ−Ｖに沿う断面図である。
【図６】図４の可動体が第２方向の端部に位置しているときの押印機構を示す正面図である。
【図７】図６の可動体が第１方向に変位されたときの押印機構を示す正面図である。
【発明を実施するための形態】
【００１１】
以下、本発明を実施するための形態について、図面を参照して説明する。
実施の形態１．
図１は本発明の実施の形態１による大束帯封機を斜め上方から見たときの分解斜視図であり、図２は図１の大束帯封機を斜め下方から見たときの分解斜視図であり、図３は図１の大束帯封機を示す一部断面の側面図である。
【００１２】
図１〜図３に示すように、本実施の形態の大束帯封機は、帯封機本体１と押印ユニット２とを有している。帯封機本体１は、周知のように複数の小束が束ねられた大束３を結束帯３ａで施封する装置である。図１〜３では、本発明の説明に重要でない帯封機本体１の細部の図示を省略している。
【００１３】
押印ユニット２は、大束３が帯封機本体１により結束帯３ａで施封された後に、大束３を施封した結束帯３ａに押印を行うためのユニットである。本実施の形態の押印ユニット２は、帯封機本体１の下部に着脱可能とされた増設ユニットとされている。すなわち、大束３を結束帯３ａで施封する機能のみが必要な利用者は、帯封機本体１を単体で用いることができる。帯封機本体１への押印ユニット２の増設（帯封機本体１及び押印ユニット２を有する大束帯封機の生産）は、製造工場で行われてもよいし、帯封機本体１のみが利用されている現場で行われてもよい。
【００１４】
押印ユニット２には、ユニットベース２０、押印機構２１及び脚部２２が含まれている。ユニットベース２０は、平面矩形の底板２００と、底板２００の外縁から立設された側壁部２０１とを有する皿状の部材である。ユニットベース２０の上部の外寸は、帯封機本体１の底部の外寸と実質的に等しくされている。押印ユニット２が帯封機本体１とともに用いられる場合、帯封機本体１の底板１０がユニットベース２０に重ねられる（図３参照）。
【００１５】
押印機構２１は、大束３の結束帯３ａに押印を行う機構であり、ユニットベース２０に取り付けられている。図３に示すように、押印機構２１は、帯封機本体１の底板１０がユニットベース２０に重ねられた際に、帯封機本体１の底板１０に設けられた開口部１０ａを通して帯封機本体１の内部に進入されるように構成されている。
【００１６】
押印機構２１の押印面２１ａ（図３参照）は、結束帯３ａの被押印面（下面）と平行になるように載置面２２ａに対して傾斜されている。載置面２２ａは、ユニットベース２０の底板２００の下面に取り付けられた脚部２２の下面によって定義される。この押印面２１ａの傾斜は、押印機構２１全体が載置面２２ａに対して傾斜されることで実現されている。ユニットベース２０の底板２００には、傾斜された押印機構２１の下部が挿入される開口２００ａが設けられている。開口２００ａから突出した押印機構２１の下部は、脚部２２によって形成される底板２００の下面と載置面２２ａとの間の隙間２２ｂに位置される。
【００１７】
次に、図４は図１の押印機構２１を示す斜視図であり、図５は図４の線Ｖ−Ｖに沿う断面図である。図４において、押印機構２１は、固定体２１０、駆動手段２１１、可動体２１２、スライドブロック２１３、スプリング体２１４、リンク機構２１５、スタンプベース２１６、スタンプ体２１７及び押印検知手段２１８を有している。
【００１８】
固定体２１０は、ユニットベース２０（図１〜図３参照）に固定された部材である。固定体２１０には、帯封機本体１（図１〜図３参照）の幅方向に沿って延在されたガイドレール２１０ａが設けられている。
【００１９】
駆動手段２１１は、可動体２１２を変位させるための構成であり、固定体２１０に取り付けられている。駆動手段２１１には、駆動モータ２１１ａ、第１プーリ２１１ｂ、第２プーリ２１１ｃ、駆動ベルト２１１ｄ及び回転検出手段２１１ｅが含まれている。
【００２０】
駆動モータ２１１ａの動作は、図示しない制御手段により制御される。制御手段は、帯封機本体１による結束帯３ａの施封動作が終了した後に駆動モータ２１１ａを駆動させる。第１プーリ２１１ｂは、駆動モータ２１１ａの回転軸と一体に設けられている。第２プーリ２１１ｃは、帯封機本体１の幅方向に関して第１プーリ２１１ｂから離間して配置されている。駆動ベルト２１１ｄは、第１及び第２プーリ２１１ｂ，２１１ｃに巻きかけられた無端ベルトであり、駆動モータ２１１ａの駆動力により循環駆動される。回転検出手段２１１ｅは、第２プーリ２１１ｃの回転軸に設けられたエンコーダにより構成されており、第２プーリ２１１ｃの回転、すなわち駆動モータ２１１ａの回転を検出する。回転検出手段２１１ｅにより検出された駆動モータ２１１ａの回転は、制御手段にフィードバックされる。
【００２１】
可動体２１２は、駆動ベルト２１１ｄに固定された連結プレート２１２ａと、この連結プレート２１２ａと一体に設けられた基部２１２ｂ、舌片部２１２ｃ、スプリングプレート２１２ｄ及び対向プレート２１２ｅとを含んでいる。
【００２２】
舌片部２１２ｃは、基部２１２ｂの下面から突出されてガイドレール２１０ａ内に挿入されている。これにより、駆動ベルト２１１ｄの循環駆動に応じて可動体２１２（基部２１２ｂ、舌片部２１２ｃ、スプリングプレート２１２ｄ及び対向プレート２１２ｅ）がガイドレール２１０ａに案内されて帯封機本体１の幅方向に沿って一体に変位される。説明の便宜上、ガイドレール２１０ａに沿う互いに逆向きの２つの方向を第１方向Ｄ１及び第２方向Ｄ２と呼ぶ。第１方向Ｄ１を図４の奥に向かう方向とし、第２方向Ｄ２を図４の手前に向かう方向を方向とする。
【００２３】
スプリングプレート２１２ｄ及び対向プレート２１２ｅは、基部２１２ｂの上面に立設された板材であり、互いに対向して配置されている。これらスプリングプレート２１２ｄと対向プレート２１２ｅとの間にはスライドブロック２１３及びスプリング体２１４が配置されている。
【００２４】
図５に示すように、スプリングプレート２１２ｄと対向プレート２１２ｅとの間にはシャフト２１２ｆが設けられている。スライドブロック２１３には、シャフト２１２ｆが挿通された挿通孔２１３ａが設けられている。スプリング体２１４は、シャフト２１２ｆに通されるとともに、スプリングプレート２１２ｄとスライドブロック２１３と間に介在されている。
【００２５】
第１方向Ｄ１に向かう可動体２１２の変位は、スプリングプレート２１２ｄ及びスプリング体２１４を介してスライドブロック２１３に伝えられる。スプリング体２１４は、可動体２１２が第１方向Ｄ１に向かう方向に変位しているときに、スライドブロック２１３が相対的にスプリングプレート２１２ｄに近づく方向に変位することを許容する。後に図を用いて説明するように、大束３の結束帯３ａにスタンプ体２１７が押し付けられた際にスライドブロック２１３が相対的にスプリングプレート２１２ｄに近づく方向に変位される。
【００２６】
スライドブロック２１３の対向プレート２１２ｅに対向する側面には、ボルト２１３ｃが取り付けられている。スライドブロック２１３の側面からのボルト２１３ｃの突出量が調節されることで、スライドブロック２１３と対向プレート２１２ｅとの間の距離が調節可能とされている。
【００２７】
図４に戻り、リンク機構２１５は、第１リンク体２１５ａ、第２リンク体２１５ｂ及び第３リンク体２１５ｃを有している。第１リンク体２１５ａ及び第２リンク体２１５ｂの一端はスライドブロック２１３の軸支部２１３ａ，２１３ｂ（図５参照）に軸支されており、第１リンク体２１５ａ及び第２リンク体２１５ｂの他端はスタンプベース２１６に軸支されている。第１リンク体２１５ａは、第２リンク体２１５ｂの上方に配置されており、図４のように第２方向Ｄ２の端部に可動体２１２が位置しているときに第２リンク体２１５ｂと平行に延在されている。第３リンク体２１５ｃは、第２リンク体２１５ｂの中間部２１５ｂ１と固定体２１０の軸支部２１０ｂとに軸支されている。軸支部２１０ｂは、第２方向Ｄ２の端部に位置しているときの可動体２１２よりもスタンプ体２１７側に位置している。後に図を用いて説明するように、第３リンク体２１５ｃは、可動体２１２が第１方向Ｄ１に変位された際に第２リンク体２１５ｂを上方に持ち上げる。
【００２８】
スタンプ体２１７は、大束３の結束帯３ａに押し付けられる印であり、スタンプベース２１６の上部に取り付けられている。
【００２９】
押印検知手段２１８は、可動体２１２の基部２１２ｂに取り付けられたセンサ体２１８ａと、スライドブロック２１３に取り付けられた遮光板２１８ｂとを含んでいる。センサ体２１８ａは、発光部及び受光部を有する光学式センサによって構成されている。遮光板２１８ｂは、スライドブロック２１３が相対的にスプリングプレート２１２ｄに近づく方向に変位された際にセンサ体２１８ａの発光部と受光部との間に挿入されるように構成されている。センサ体２１８ａは、遮光板２１８ｂが発光部と受光部との間に挿入された際に、大束３の結束帯３ａにスタンプ体２１７が押し付けられたこと（大束３の結束帯３ａに押印が行われたこと）を検出する。
【００３０】
次に、図４の押印機構２１の動作について図を用いて説明する。図６は図４の可動体２１２が第２方向Ｄ２の端部に位置しているときの押印機構２１を示す正面図であり、図７は図６の可動体２１２が第１方向Ｄ１に変位されたときの押印機構２１を示す正面図である。
【００３１】
図６に示すように、可動体２１２が第２方向Ｄ２の端部に位置しているときは、スタンプ体２１７は大束３の結束帯３ａから離れている。図７に示すように可動体２１２とともにスライドブロック２１３が第１方向Ｄ１に変位され、第２リンク体２１５ｂの中間部２１５ｂ１が固定体２１０の軸支部２１０ｂに近づくと、軸支部２１０ｂを中心に第３リンク体２１５ｃが回動される。この第３リンク体２１５ｃの回動に応じてスタンプベース２１６を持ち上げるように第１及び第２リンク体２１５ａ，２１５ｂが回動されて、スタンプ体２１７が大束３の結束帯３ａに押し付けられる。すなわち、第１及び第２リンク体２１５ａ，２１５ｂは、帯封機本体１の幅方向に沿う可動体２１２の変位に応じて帯封機本体１の高さ方向にスタンプ体２１７を変位させる。
【００３２】
スタンプ体２１７が大束３の結束帯３ａに押し付けられると、その位置から第１方向Ｄ１にスライドブロック２１３が移動できなくなる。一方で、可動体２１２は駆動手段２１１の駆動力により引き続き第１方向Ｄ１に移動する。これにより、スライドブロック２１３が相対的にスプリングプレート２１２ｄに近づく方向に変位される。このとき、スプリング体２１４の付勢力がスライドブロック２１３、第１及び第２リンク体２１５ａ，２１５ｂ並びにスタンプベース２１６を介してスタンプ体２１７に作用し、その付勢力によりスタンプ体２１７が結束帯３ａに確実に押し付けられる。
【００３３】
使用済みの紙幣等の大束３の場合、大束３の厚みは紙幣の状態によって大きく変わる。上述のようにスライドブロック２１３が相対的にスプリングプレート２１２ｄに近づく方向に変位されることをスプリング体２１４が許容することは、スプリング体２１４が大束３の厚みの変動を吸収して、駆動手段２１１等に大きな負荷がかからないようにしていることを意味する。
【００３４】
一方、スライドブロック２１３が相対的にスプリングプレート２１２ｄに近づく方向に変位されると、センサ体２１８ａの発光部と受光部との間に遮光板２１８ｂが挿入されることで、押印検知手段２１８により大束３の結束帯３ａにスタンプ体２１７が押し付けられたことが検出され、駆動手段２１１による可動体２１２の駆動が停止される。
【００３５】
このような大束帯封機及びその押印ユニット２によれば、押印ユニット２は、帯封機本体１の底板１０が重ねられるユニットベース２０と、帯封機本体１の底板１０に設けられた開口部１０ａを通して帯封機本体１の内部に進入され得る押印機構２１とを含み、帯封機本体１の下部に着脱可能とされているので、より容易に押印ユニット２を取り外す又は追加することができる。
【００３６】
また、スタンプ体２１７が結束帯３ａに押し付けられた際に、スライドブロック２１３が相対的にスプリングプレート２１２ｄに近づく方向に変位することをスプリング体２１４が許容するので、大束３の厚みが変動する場合でも駆動手段２１１等に大きな負荷がかからないようにすることができる。
【００３７】
さらに、第１及び第２リンク体２１５ａ，２１５ｂが帯封機本体１の幅方向に沿う可動体２１２の変位に応じて帯封機本体１の高さ方向にスタンプ体２１７を変位させるので、スタンプ体２１７の変位ストロークを確保しつつ、待機時の押印機構２１の厚み（帯封機本体１の高さ方向に沿う高さ）を小さくできる。これにより、押印機構２１が取り付けられるユニットベース２０を薄くでき、押印ユニット２全体をコンパクトにすることができる。なお、仮にソレノイドアクチュエータを用いてスタンプ体２１７を変位させようとすると、スタンプ体２１７の変位ストロークに応じて待機時の押印機構２１の厚みが大きくなってしまう。
【符号の説明】
【００３８】
１        帯封機本体
１０      底板
１０ａ    開口部
２        押印ユニット
２０      ユニットベース
２１      押印機構
２１０    固定体
２１０ａ  ガイドレール
２１１    駆動手段
２１２    可動体
２１２ｄ  スプリングプレート
２１３    スライドブロック
２１４    スプリング体
２１５ａ〜２１５ｃ  リンク体
２１７    スタンプ体
【図１】
2015178369.tif 000003
【図２】
2015178369.tif 000004
【図３】
2015178369.tif 000005
【図４】
2015178369.tif 000006
【図５】
2015178369.tif 000007
【図６】
2015178369.tif 000008
【図７】
2015178369.tif 000009